(57)【要約】【課題】    解決しようとする問題点は、アウトドアレジャー用や災害時の非常用のポータブルトイレとして、重量が重く、移動や保管には便利が悪い介護用簡易便器、いわゆるポータブルトイレで代用するのではなく、プラスチック製や木製、あるいは紙製のもので、嵩張り、または強度がないか、もしくは折り畳みができないものに替わり、強度が充分あり、安全性が高く、しかも折り畳み可能で軽量の折り畳み便座椅子を提供することである。【解決手段】    本発明は、アウトドアレジャー用のアルミ製折り畳み椅子の座面部分を、しなやかで強靭なバンドと、金属製や木製或いは樹脂製など強度と剛性を持つ材質の梁を方形に組んで中央部に空間を持つ構造を作り、座面の上面に、充分に強度と剛性のある取り外し可能な便座を、取付けまたは取り外すことができる構成を最も主要な特徴とする。【選択図】図２
2005279123.tif 000002
【特許請求の範囲】
【請求項１】
折り畳み便座椅子の座面として、座面中央に開口部を作るとき、座面受けフレームを引っ張る方向、すなわち横枠方向に柔軟なバンドを張り、それと直角方向、すなわち縦枠に剛性のある梁を渡して組み、方形の開口部を作ること、及びこの構成で作られた便座椅子。
【発明の詳細な説明】
【技術分野】
【０００１】
本発明は、折り畳み便座椅子に関するものである。
【背景技術】
【０００２】
歩行の困難な老人や歩行障害者が使用するための介護用簡易便器、いわゆるポータブルトイレは通常、プラスチック製や木製、あるいはスチール製のものである。
【０００３】
このポータブルトイレをアウトドアレジャー用や災害時の非常用に使用する場合、嵩が張り、また重量も重く、移動や保管には便利の良いものではなかった。
【０００４】
アウトドアレジャー用や災害時の非常用としては、ダンボール製の使い捨て組み立て便座などがあるが、強度は脆弱で、あくまでも一時しのぎのものであった。また、簡易のスチール椅子を利用したものもあるが、これも強度がないか、もしくは折り畳みができないものであった。
【０００５】
図１はアウトドアレジャー用のアルミ製折り畳み椅子である。通常は、折り畳み椅子１１の座面は布張り座面１０になっている。布張り或いはビニールなどの柔軟な素材を使用する理由は、椅子を折り畳んだときに座面が畳まれることを目的としている。一方、便座としては体重を支える強度を要求される。いうならば、強度を上げることと、軽量で折り畳みできることが二律背反になっていたためであり、従って、アウトドアレジャー用や災害時の非常用として、強度が充分あり、安全性が高く、しかも折り畳み可能で軽量の折り畳み便座の必要性が高まっている。
【特許文献１】特開平０９−０２８６１８号公報
【特許文献２】特開２００３−１２５９７４号公報
【発明の開示】
【発明が解決しようとする課題】
【０００６】
解決しようとする問題点は、アウトドアレジャー用や災害時の非常用のポータブルトイレとして、重量が重く、移動や保管には便利が悪い介護用簡易便器、いわゆるポータブルトイレで代用するのではなく、プラスチック製や木製、あるいは紙製のもので、嵩張り、または強度がないか、もしくは折り畳みができないものに替わり、強度が充分あり、安全性が高く、しかも折り畳み可能で軽量の折り畳み便座椅子を提供することである。
【課題を解決するための手段】
【０００７】
本発明は、アウトドアレジャー用のアルミ製折り畳み椅子の座面部分を、しなやかで強靭なバンドと、金属製や木製或いは樹脂製など強度と剛性を持つ材質の梁を方形に組んで中央部に空間を持つ構造を作り、その上面に、充分に強度と剛性のある、取り外し可能な便座を取付け、または取り外すことができる構成を最も主要な特徴とする。
【発明の効果】
【０００８】
本発明は、しなやかで強靭なバンドと、金属製や木製或いは樹脂製など強度と剛性を持つ材質の梁を方形に組んで中央部に空間を持つ構造の座面とすることで、折り畳み椅子を折り畳む場合にも障害にならず、また、便座は充分な強度と剛性があるが、取付け取り外しが自在なため、取り外せば椅子は折り畳み可能であるという利点がある。
【発明を実施するための最良の形態】
【０００９】
本発明は、アウトドアレジャー用のアルミ製折り畳み椅子の座面部分を、しなやかで強靭なバンドと、金属製や木製或いは樹脂製など強度と剛性を持つ材質の梁を方形に組んで中央部に空間を持つ構造を作り、その上面に、充分に強度と剛性のある、取り外し可能な便座を取付け、または取り外すことができるようにするものである。
【実施例１】
【００１０】
図２は、本発明装置の実施例１の構成を示す矢視図である。わかり易くするために、図２から便座４１を取り外した図３を併用して説明する。本発明装置の主要部分は、アルミ製折り畳み椅子の折り畳み椅子の支持フレーム１１、便座受けフレーム１２，１３、柔軟な素材で形成された背もたれ１４、及び便座受けフレーム１２と便座受けフレーム１３を繋ぐ複数の座バンド２１、強度保持梁３１，３１、及び便座４１で構成される。
【００１１】
座バンド２１は強靭な布、皮或いは樹脂などのしなやかな素材で形成されており、便座受けフレーム１２と便座受けフレーム１３を複数で繋いで便座を支える座面としている。座バンド２１のグループは便座受けフレーム方向には十分な引っ張り力はあるものの、それと直角方向には拘束力はなく、中央に便座のための開口部を形成すると開口部は支えがなく体重を支えきれない。そこで、直角方向には強度と剛性を持つ材質の強度保持梁３１，３１を渡し座バンドと方形に組むことで強度を持たせている。
【００１２】
図４の矢印Ｘ，Ｙの方向に便座受けフレーム１２，１３を閉じて椅子を畳む場合、座バンド２１と背もたれ１４はしなやかな素材で形成されているので障害にならず、剛性のある強度保持梁３１，３１は椅子を畳むヒンジ軸方向に平行に配材されているので邪魔にならない。
【００１３】
本発明で使用する便座は材質として硬質ポリウレタンフォームなどの板（厚さ３０ｍｍ程度）の中央部に楕円型の開口部を設けたものであり、強度、剛性、軽量性、人体の接触感などに優れている。
【００１４】
図２において、座バンドと強度保持梁で構成する座面の開口部と便座４１の開口部が重なるように置き、座バンドと強度保持梁で構成する座面の上面と便座４１の下面が互いに接するが、その接触面をマジックバンドなどで繋ぐと、便座の固定と脱着が極めて容易になる。
【００１５】
便座椅子の下部には、汚物タンク或いはバイオ分解装置などを設置すれば汚物の処理は容易に行える。
【産業上の利用可能性】
【００１６】
震災などで被災した場合には水道や電気などいわゆるライフラインが遮断されるケースが想定される。都市部では非常時の排泄物の処理が深刻な問題である。このような非常時のために、軽量で強靭、コンパクトで保管に嵩張らない非常用ポータブルトイレの提供は非常に必要性がある。また、アウトドアレジャーでも生ごみや汚物を山や海などに廃棄せずに済むので環境汚染防止に貢献することができる。
【図面の簡単な説明】
【００１７】
【図１】従来例１の説明図である。
【図２】本発明の実施例１の説明図である。
【図３】本発明の実施例１の説明図である。
【図４】本発明の実施例１の説明図である。
【符号の説明】
【００１８】
１０  布張り座面
１１  折り畳み椅子の支持フレーム
１２  便座受けフレーム
１３  便座受けフレーム
１４  背もたれ
２１  座バンド
３１  強度保持梁
３２  強度保持梁
４１  便座
Ｘ    折り畳み方向
Ｙ    折り畳み方向
【図１】
2005279123.tif 000003
【図２】
2005279123.tif 000004
【図３】
2005279123.tif 000005
【図４】
2005279123.tif 000006